(57)【要約】【課題】発光管を支持する部分が直線的に連続して並ぶことによる輝度ムラを解消するとともに、少ない発光管支持体数で多くの発光管を支持することが可能になる光源装置を提供する。【解決手段】略平行に配列された複数のＣＣＦＬ50-1，50-2，…，50-8の直管部分を、直管部分の管軸方向に並置された複数対（ここでは３対）のランプクリップ25-1，25-2、ランプクリップ25-3，25-4、及びランプクリップ25-5，25-6で支持する。その場合に、対をなす一方のランプクリップ25-1、25-3、25-5が、対をなす他方のランプクリップ25-2、25-4、25-6によって支持されたＣＣＦＬの配列方向の両側それぞれに配置されたＣＣＦＬの少なくとも各１本を支持する。これにより、ＣＣＦＬを支持する部分（把持部２７）が直線的に連続して並ぶことをなくし、輝度ムラの発生を抑制することが可能になる。また、少ないランプクリップで多くのＣＣＦＬを支持することが可能になる。【選択図】図７
2007200651.tif 000002
【特許請求の範囲】
【請求項１】
直管部分が略平行に配列された複数の発光管と、
前記直管部分の管軸方向に並置され、該直管部分を支持する一対の発光管支持体とを備え、
一方の発光管支持体は、他方の発光管支持体によって支持された発光管の配列方向の両側それぞれに配置された発光管の少なくとも各１本を支持していること
を特徴とする光源装置。
【請求項２】
前記他方の発光管支持体は、
前記一方の発光管支持体によって支持された発光管の配列方向の両側それぞれに配置された発光管の少なくとも各１本を支持していること
を特徴とする請求項１に記載の光源装置。
【請求項３】
直管部分が略平行に配列された複数の発光管と、
前記直管部分の管軸方向に並置され、該直管部分を支持する複数対の発光管支持体とを備え、
対をなす発光管支持体のうちの一方の発光管支持体は、他方の発光管支持体によって支持された発光管の配列方向の両側それぞれに配置された発光管の少なくとも各１本を支持していること
を特徴とする光源装置。
【請求項４】
前記複数の発光管のうちの相隣する１本又は複数本の発光管おきに、該１本又は複数本の発光管を前記一方の発光管支持体と前記他方の発光管支持体とが交互に支持していること
を特徴とする請求項３に記載の光源装置。
【請求項５】
前記発光管支持体を取り付けるためのシャーシを備え、
該シャーシと前記発光管支持体とが相互に係止されていること
を特徴とする請求項１乃至請求項４のいずれか１つに記載の光源装置。
【請求項６】
前記発光管支持体は、
前記発光管を支持する部分の間を連結するための連結部を有し、
該連結部の前記シャーシと向かい合う面に複数の突起が設けられ、前記シャーシに複数の孔が設けられ、前記複数の突起と前記複数の孔とが係止されていること
を特徴とする請求項５に記載の光源装置。
【発明の詳細な説明】
【技術分野】
【０００１】
本発明は、直管部分が略平行に配列された複数の発光管と、直管部分の管軸方向に並置され、該直管部分を支持する発光管支持体とを備える光源装置に関する。
【背景技術】
【０００２】
液晶表示装置は、小型、薄型、低消費電力を特徴とし、近年では表示品位の向上により、従来のＣＲＴに替わるディスプレイとして普及しつつある。液晶表示装置は、自己発光型のデバイスとは異なり、光源装置としてのバックライト装置を必要とし、液晶物質の電気光学特性により決定される光透過率を制御して画像を表示する。
【０００３】
近年の大型化、大画面化に伴って、バックライト装置に使用されるＣＣＦＬの長管化は避けられない。また、発光効率を高めるべく、ＣＣＦＬの細管化が行なわれている。このことから、バックライト装置に使用されるＣＣＦＬの機械的強度は極めて小さいため、ＣＣＦＬの中間部を発光管支持体（ランプクリップ）で支持するようにした直下型のバックライト装置が実用化されている（例えば、特許文献１参照）。
【０００４】
特許文献１には、隣り合う２本のＣＣＦＬを支持するランプクリップを千鳥パターンとなるように配置した液晶表示装置が開示されている。ランプを支持する位置には把持部が設けられており、把持部で２本のランプの把持する。また、把持部が設けられた位置のランプクリップの反対側には、ランプクリップをバックライトシャーシに係止するための係止部が設けられている。
【特許文献１】特開２００５−２０８３１７号公報
【発明の開示】
【発明が解決しようとする課題】
【０００５】
しかしながら、数十本のＣＣＦＬが必要な大画面の液晶表示装置用のバックライト装置において、特許文献１に開示されているように、ランプクリップをバックライトシャーシに千鳥パターンで配置した場合は、バックライト装置１台あたりに必要なランプクリップの個数の増加とともに、バックライト装置の組立作業に要する時間の増加を生来する傾向にあった。
【０００６】
この課題を解決するには、把持部を連結する連結部をＣＣＦＬの配列方向に延長させて３つ以上の把持部を設けたランプクリップを用いることで可能である。しかしながら、隣り合うＣＣＦＬがそれぞれランプ配列方向に連続して並べられた３つ以上の把持部によって把持されるように構成すると、バックライト装置の厚みによっては把持部の像が拡散板に反映し、輝度ムラが発生する虞がある。
【０００７】
また、特許文献１では、把持部が設けられた位置の反対側（蛍光管を収納するバックライトシャーシの底面に向かい合う側）に係止部が設けられているため、ランプクリップをバックライトシャーシに固定する際、作業者が把持部を掴んで固定作業を行ない、その結果、把持部が折れたり曲がったり破損する虞があった。この問題は、本来把持されるべき蛍光管が把持されなくなるどころか、蛍光管さえも破損しかねない問題も十分生来しうるものである。
【０００８】
本発明は斯かる事情に鑑みてなされたものであり、発光管を支持する部分が直線的に連続して並ぶことによる輝度ムラを解消するとともに、少ない発光管支持体数で多くの発光管を支持することが可能になる光源装置の提供を目的とする。
【０００９】
また本発明は、極めて簡単に発光管支持体をシャーシに取り付けることができるとともに、発光管支持体とシャーシとの位置ズレの発生を防止することができる光源装置の提供を目的とする。
【課題を解決するための手段】
【００１０】
本発明に係る光源装置は、直管部分が略平行に配列された複数の発光管と、前記直管部分の管軸方向に並置され、該直管部分を支持する一対の発光管支持体とを備え、一方の発光管支持体は、他方の発光管支持体によって支持された発光管の配列方向の両側それぞれに配置された発光管の少なくとも各１本を支持していることを特徴とする。
【００１１】
本発明にあっては、略平行に配列された複数の発光管の直管部分を、直管部分の管軸方向に並置された一対の発光管支持体で支持する。その場合に、一方の発光管支持体が他方の発光管支持体によって支持された発光管の配列方向の両側それぞれに配置された発光管の少なくとも各１本を支持する。これにより、発光管を支持する部分が直線的に連続して並ぶことをなくし、輝度ムラの発生を抑制することが可能になる。また、少ない発光管支持体数で多くの発光管を支持することが可能になる。
【００１２】
本発明に係る光源装置は、前記他方の発光管支持体が、前記一方の発光管支持体によって支持された発光管の配列方向の両側それぞれに配置された発光管の少なくとも各１本を支持していることを特徴とする。
【００１３】
本発明にあっては、他方の発光管支持体が、一方の発光管支持体によって支持された発光管の配列方向の両側それぞれに配置された発光管の少なくとも各１本を支持する。これにより、一対の発光管支持体の双方が他の発光管支持体の配列方向の両側それぞれに配置された発光管の少なくとも各１本を支持することになるので、輝度ムラの発生をさらに抑制することができる。
【００１４】
本発明に係る光源装置は、直管部分が略平行に配列された複数の発光管と、前記直管部分の管軸方向に並置され、該直管部分を支持する複数対の発光管支持体とを備え、対をなす発光管支持体のうちの一方の発光管支持体は、他方の発光管支持体によって支持された発光管の配列方向の両側それぞれに配置された発光管の少なくとも各１本を支持していることを特徴とする。
【００１５】
本発明にあっては、略平行に配列された複数の発光管の直管部分を、直管部分の管軸方向に並置された複数対の発光管支持体で支持する。その場合に、対をなす一方の発光管支持体が他方の発光管支持体によって支持された発光管の配列方向の両側それぞれに配置された発光管の少なくとも各１本を支持する。これにより、発光管を長管化した場合であっても、一方の発光管支持体を適宜長ごとに順次配置することで、発光管の機械的強度が小さいときでも、輝度ムラの発生を抑制することが可能になる。
【００１６】
本発明に係る光源装置は、前記複数の発光管のうちの相隣する１本又は複数本の発光管おきに、該１本又は複数本の発光管を前記一方の発光管支持体と前記他方の発光管支持体とが交互に支持していることを特徴とする。
【００１７】
本発明にあっては、複数の発光管のうちの相隣する１本又は複数本の発光管おきに、対をなす一方の発光管支持体と他方の発光管支持体とが該１本又は複数本の発光管を交互に支持する。これにより、対をなす発光管支持体が規則的に発光管を支持することになるので、発光管を支持する部分の位置の偏りがなくなって輝度ムラの発生を抑制することができる。
【００１８】
本発明に係る光源装置は、前記発光管支持体を取り付けるためのシャーシを備え、該シャーシと前記発光管支持体とが相互に係止されていることを特徴とする。
【００１９】
本発明にあっては、発光管支持体を取り付けるためのシャーシを設け、シャーシと発光管支持体とを相互に係止して固定する。これにより、発光管のシャーシに対する位置が係止と同時に決定される。
【００２０】
本発明に係る光源装置は、前記発光管支持体が、前記発光管を支持する部分の間を連結するための連結部を有し、該連結部の前記シャーシと向かい合う面に複数の突起が設けられ、前記シャーシに複数の孔が設けられ、前記複数の突起と前記複数の孔とが係止されていることを特徴とする。
【００２１】
本発明にあっては、発光管支持体が、発光管を支持する部分の間を連結するための連結部を有しており、連結部のシャーシと向かい合う面に複数の突起を設ける。また、シャーシに複数の孔を設ける。これら突起を孔に嵌め込むことによって、シャーシと発光管支持体とを係止する。これにより、極めて簡単に発光管支持体をシャーシに取り付けることができる。また、発光管支持体とシャーシとの位置ズレが発生することはない。
【発明の効果】
【００２２】
本発明によれば、略平行に配列された複数の発光管の直管部分を、直管部分の管軸方向に並置された一対の発光管支持体で支持する場合に、一方の発光管支持体が他方の発光管支持体によって支持された発光管の配列方向の両側それぞれに配置された発光管の少なくとも各１本を支持する構成とすることとしたので、発光管を支持する部分が直線的に連続して並ぶことをなくし、輝度ムラの発生を抑制することが可能になる。また、少ない発光管支持体数で多くの発光管を支持することが可能になる。
【００２３】
本発明によれば、他方の発光管支持体が、一方の発光管支持体によって支持された発光管の配列方向の両側それぞれに配置された発光管の少なくとも各１本を支持する構成とすることとしたので、一対の発光管支持体の双方が他の発光管支持体の配列方向の両側それぞれに配置された発光管の少なくとも各１本を支持することになるので、輝度ムラの発生をさらに抑制することができる。
【００２４】
本発明によれば、略平行に配列された複数の発光管の直管部分を、直管部分の管軸方向に並置された複数対の発光管支持体で支持する場合に、対をなす一方の発光管支持体が他方の発光管支持体によって支持された発光管の配列方向の両側それぞれに配置された発光管の少なくとも各１本を支持する構成とすることとしたので、発光管を長管化した場合であっても、一方の発光管支持体を適宜長ごとに順次配置することで、発光管の機械的強度が小さいときでも、輝度ムラの発生を抑制することが可能になる。
【００２５】
本発明によれば、複数の発光管のうちの相隣する１本又は複数本の発光管おきに、対をなす一方の発光管支持体と他方の発光管支持体とが該１本又は複数本の発光管を交互に支持する構成とすることとしたので、対をなす発光管支持体が規則的に発光管を支持することになるので、発光管を支持する部分の位置の偏りがなくなって輝度ムラの発生を抑制することができる。
【００２６】
本発明によれば、発光管支持体を取り付けるためのシャーシを設け、シャーシと発光管支持体とを相互に係止して固定する構成としたので、発光管のシャーシに対する位置が係止と同時に決定される。したがって、発光管支持体をシャーシに取り付ける作業が極めて簡単である。
【００２７】
本発明によれば、発光管支持体が、発光管を支持する部分の間を連結するための連結部を有しており、連結部のシャーシと向かい合う面に複数の突起を設け、また、シャーシに複数の孔を設ける構成とし、突起を孔に嵌め込むことによって、シャーシと発光管支持体とを係止することとしたので、極めて簡単に発光管支持体をシャーシに取り付けることができる。また、発光管支持体とシャーシとの位置ズレの発生を防止することができる等、優れた効果を奏する。
【発明を実施するための最良の形態】
【００２８】
以下、本発明をその実施の形態を示す図面に基づいて詳述する。
【００２９】
（実施の形態１）
図１は本発明の実施の形態１に係る液晶表示装置を示す斜視図である。
本発明に係る液晶表示装置は、液晶パネル（１０）と本発明の光源装置であるバックライト装置（２０）とがモジュール化された表示モジュール１が前面キャビネット２及び背面キャビネット３によって形成された空間内に配置されている。表示モジュール１は、表示モジュール１の外寸と適合する寸法を有する図示しない支持枠に固定されている。支持枠には、支持枠の上下に対向する２辺間を連結するように、上下方向に伸びる２本の支柱が固定され、支柱にスタンド４が取り付けられている。
【００３０】
図２は本発明の実施の形態１に係る表示モジュールの構成を示す分解斜視図である。
表示モジュール１は、液晶パネル１０を、背面側からバックライト装置２０、正面側から枠体４０で挟持された構造を有する。
【００３１】
液晶パネル１０には一対の透明板が対向配置され、その間隙内に液晶物質が封入された液晶層が形成されている。一方の透明板にはマトリックス状に配置されたＩＴＯ、ＮＥＳＡなどの透明性の画素電極と、画素電極への電荷の供給を制御するためのＴＦＴとが形成されており、他方の透明板にはコモン電極と呼ばれる透明性の共通電極が形成されている。
【００３２】
ＴＦＴのゲート及びソースは、それぞれゲートドライバ及びソースドライバの各出力段に接続されている。液晶パネル１０は、ゲートドライバから入力されたゲート信号によって各画素のオン／オフが制御され、ソースドライバから入力されたデータ信号をオン期間に各画素へ印加することによって、液晶物質の電気光学特性によって決定される光透過率を制御する。
【００３３】
液晶パネル１０の背面には、直管部分が略平行に配列された複数の発光管を備えるバックライト装置２０が配置されている（詳細は後述する）。発光管には、寿命が長く自然光に近い白色光が発光され、発生する熱が小さいＣＣＦＬが用いられる。
【００３４】
液晶パネル１０の前面には、横長矩形状の枠体４０が配置されている。枠体４０の長辺側の辺縁には、バックライト装置２０に係止するための係止部４０ａが設けられている。係止部４０ａには貫通孔が、貫通孔に対応するバックライト装置２０の位置には、螺子孔が配された突起部２０ａが設けられており、貫通孔を介して螺子５０を螺子孔に螺嵌することによって、液晶パネル１０をバックライト装置２０及び枠体４０で挟持する。
【００３５】
図３は本発明の実施の形態１に係るバックライト装置の構成を示す分解斜視図、図４は図３のIV−IV線における構造断面図、図５は図３のV−V線における構造断面図である。
図中２１は、前面が開口された直方体状の箱体（バックライトシャーシ）であり、バックライトシャーシ２１の内壁に反射膜２４が形成されている。反射膜２４は、例えば、アルミなどの光反射性に優れた材料を蒸着することにより形成される。
【００３６】
また、バックライトシャーシ２１は、側壁の開口側に段部２１ｂを有している。段部２１ｂには、光学シート２２が配置され、上側から光学シート２２の面積より小さな面積の開口部を有する枠体２３を配置し、枠体２３がビスなどでバックライトシャーシ２１に取り付けられる。光学シート２２は、例えば、拡散板、拡散シート及びプリズムシートなどの積層体であって、光学シート２２の段部２１ｂへの配置を容易にすべく、段部２１ｂが光学シート２２の形状と相似していることが好ましい。
【００３７】
バックライトシャーシ２１には、発光管支持体であるランプクリップ２５−１，２５−２，…，２５−６（以下、区別が不要なときはランプクリップ２５というときがある）が横向き状態で縦方向に並置されている。ランプクリップは、略平行に配列された複数のＣＣＦＬの直管部分を、直管部分の管軸方向に並置された一対の発光管支持体で支持する。ランプクリップ２５は、図６に示すように、ＣＣＦＬを把持するための所定間隔で配置された把持部２７，２７，…の脚部を、板状の連結部２６で連結している。また、把持部２７，２７，…を設けた面の反対面側の連結部２６には、バックライトシャーシ２１に係止するための係止部２８，２８，…が所定間隔で配置されている。
【００３８】
係止部２８は、隣り合う把持部２７，２７の間に設ければよいが、本例のように把持部２７，２７の中間位置（図中ｘ１＝ｘ２）に配置することにより、作業者が押圧すべき係止部２８の位置と両隣の把持部２７，２７との距離マージンが最適化されるので、作業者が把持部２７，２７に触れる弊害の発生を抑制することができる。また、係止部２８が設けられた位置に対応する表面側の位置には、係止部２８が設けられていることを示すマーク２９が設けられている。
【００３９】
ランプクリップ２５−１，２５−３，２５−５には、ＣＣＦＬ５０−１，５０−３，５０−５，５０−７が、ランプクリップ２５−２，２５−４，２５−６には、ＣＣＦＬ５０−２，５０−４，５０−６，５０−８が各ランプクリップの把持部２７で固定されている。つまり、各ランプクリップ２５の把持部２７は、複数のＣＣＦＬ５０−１，５０−２，…，５０−８を１つおきに把持するように設けられている。つまり、ランプクリップ２５−１とランプクリップ２５−２とが、ランプクリップ２５−３とランプクリップ２５−４とが、ランプクリップ２５−５とランプクリップ２５−６とが、それぞれ一対のランプクリップとなり、合計３対のランプックリップでＣＣＦＬ５０−１，５０−２，…，５０−８を支持する構成をなしている。
【００４０】
このような構成では、例えば、対をなす一方のランプクリップ２５−１に着目すると、ランプクリップ２５−１が支持するＣＣＦＬ５０−３の配列方向の両側それぞれのＣＣＦＬ５０−２，５０−４は、対をなす他方のランプクリップ２５−２によって支持される。したがって、ＣＣＦＬを支持する部分（把持部）が直線的に連続して並ぶことがなくなり、輝度ムラの発生を抑制することが可能になる。また、バックライト装置１台あたりに必要なランプクリップの数を削減することができ、その結果として組立作業に要する時間を削減することができる。
【００４１】
次に、上述したバックライト装置２０の製造方法について説明する。図７は本発明の実施の形態１に係るバックライト装置の製造方法を示す図である。
【００４２】
先ず、数ｍｍ厚のステンレス製の金属板をプレス加工し、千鳥パターンの貫通孔２１ａ，２１ａ，…がＸ方向及びＹ方向の２方向に形成されたバックライトシャーシ２１を用意する。そして、図７（ａ）に示すように、ランプクリップ２５−１，２５−２，…，２５−６に設けられた係止部２８を、対応する貫通孔２１ａに挿入して係止する。具体的には、ランプクリップ２５を１つおきに向きを反転させてバックライトシャーシ２１に係止する。ランプクリップ２５には、係止部２８が設けられている位置を示すマーク２９が設けられているので、作業者は、マーク２９によって、押圧すべき係止部２８の位置を把握し、ランプクリップ２５をバックライトシャーシ２１に確実に係止することができる。
【００４３】
そして、図７（ｂ）に示すように、ＣＣＦＬ５０−１，５０−３，５０−５，５０−７をランプクリップ２５−１，２５−３，２５−５の把持部２７に、ＣＣＦＬ５０−２，５０−４，５０−６，５０−８をランプクリップ２５−２，２５−４，２５−６の把持部２７に嵌め込む。このようにして、ランプクリップ２５−１，２５−２，…，２５−６の各把持部２７は、複数のＣＣＦＬ５０−１，５０−２，…，５０−８を１つおきに把持する。
【００４４】
以上詳述したように、本発明によれば、縦方向（Ｙ方向）には１つのランプクリップ２５を配置すればよいので、ランプクリップの個数を削減することができる。特に、大型化、大画面化に伴って、バックライト装置に使用されるＣＣＦＬの個数が増加することが考えられるが、大画面化された場合に効果がより顕著となる。
【００４５】
また、係止部２８の位置を示すマーク２９がランプクリップ２５に設けられていることから、作業者はマーク２９位置の連結部２６を上側から押圧してランプクリップ２５をバックライトシャーシ２１に固定するので、把持部２７が掴まれることを防止することができ、把持部２７が折れたり、曲がったりすることはない。なお、マーク２９の上側をＣＣＦＬ５０−１，５０−２，…，５０−８が覆うことになるので、マーク２９が輝度ムラへ影響することはない。
【００４６】
さらに、把持部２７が１つおきの千鳥パターンで配置されることになるので、把持部２７が直線的に連続して並ぶことによる輝度ムラの発生を抑制することができる。
【００４７】
（実施の形態２）
図８は本発明の実施の形態２に係るランプクリップを示す斜視図である。
本発明の実施の形態２に係るランプクリップは、ＣＣＦＬを把持するための把持部２７，２７，…と、把持部２７，２７，…の脚部を連結する板状の連結部２６と、把持部２７，２７，…を設けた面の反対面側の連結部２６に設けられたバックライトシャーシ２１に係止するための係止部２８，２８，…と、把手部３０，３０，…とを備える。係止部２８は、実施の形態１と同様に、隣り合う把持部２７，２７の中間位置に設けられていることが好ましい。
【００４８】
また、係止部２８が設けられた位置に対応する表面側の位置には、係止部２８が設けられていることを示すマーク２９が設けられ、把手部３０は、把持部２７，マーク２９の中間位置に設けられる。把手部３０は、先端に向かって軸断面が小さくなる円柱状（円錐状）の形状をなし、周方向に複数の溝３０ａが設けられている。なお、把手部３０は、隣り合う把持部２７，２７の間の適宜の位置に設ければよい。
【００４９】
したがって、上述したランプクリップをバックライト装置に用いる場合には、図９に示すように、ランプクリップに設けた把手部３０が光学シート２２を支持するための支持部として機能し、把手部（支持部）３０が光学シート２２を複数の位置で支持することから、ＣＣＦＬ５０−１，５０−２，…，５０−８と光学シート２２との距離が位置によって変わることがなく、さらに輝度ムラを抑制することができる。
【００５０】
また、作業者に、この把手部３０を掴んでバックライトシャーシ２１への取付作業を行なわせることができ、さらに、把手部３０に複数の溝３０ａを設けたことから、溝３０ａが滑り止めとして機能して取付作業がより容易になる。
【００５１】
なお、実施の形態２においては、周面に複数の溝３０ａを有する把手部３０が設けられたランプクリップについて説明したが、ランプクリップの把手部の形状が、作業者にとって作業し易く、滑り止めとして機能するような形状であれば、把手部の形状について限定されるものではない。例えば、図１０に示すように、周面に一対の凹部３１ａを有する把手部３１がランプクリップに設けられていてもよく、把手部３１に一対の凹部３１ａ，３１ａを設けた場合も、作業者に、凹部３１ａ，３１ａを掴んでランプクリップのバックライトシャーシ２１への取付作業を行なわせることができ、取付作業が容易になる。
【００５２】
なお、各実施の形態では、バックライト装置として組み立てた場合に、把持部２７が１つおきの千鳥パターンとなる形態について説明したが、対をなす一方のランプクリップが支持する相隣するＣＣＦＬの数と、他方のランプクリップが支持する相隣するＣＣＦＬの数とが同数であれば、薄型設計時でもランプクリップに設けた把持部に起因する輝度ムラの発生を抑制することができる。
【００５３】
例えば、相隣する２つのＣＣＦＬが、ＣＣＦＬの配列方向に並べられた２つの把持部によって把持されるランプクリップを用いてバックライト装置を構成するようにしてもよい。具体的には図１１に示すように、対をなす一方のランプクリップ２５−１，２５−３，２５−５には、ＣＣＦＬ５０−１，５０−２，５０−５，５０−６が、対をなす他方のランプクリップ２５−２，２５−４，２５−６には、ＣＣＦＬ５０−３，５０−４，５０−７，５０−８が各ランプクリップの把持部２７で固定されていてもよい。つまり、各ランプクリップの把持部２７を、相隣する複数のＣＣＦＬ５０−１，５０−２，…，５０−８を２つおきに把持するように設けてもよい。
【図面の簡単な説明】
【００５４】
【図１】本発明の実施の形態１に係る液晶表示装置を示す斜視図である。
【図２】本発明の実施の形態１に係る表示モジュールの構成を示す分解斜視図である。
【図３】本発明の実施の形態１に係るバックライト装置の構成を示す分解斜視図である。
【図４】図３のIV−IV線における構造断面図である。
【図５】図３のV−V線における構造断面図である。
【図６】本発明の実施の形態１に係るランプクリップを示す斜視図である。
【図７】本発明の実施の形態１に係るバックライト装置の製造方法を示す図である。
【図８】本発明の実施の形態２に係るランプクリップを示す斜視図である。
【図９】本発明の実施の形態２に係るバックライト装置の構成を示す構造断面図である。
【図１０】本発明に係るランプクリップの他の一例を示す斜視図である。
【図１１】本発明に係るバックライト装置の他の構成を示す模式的平面図である。
【符号の説明】
【００５５】
１  表示モジュール
１０  液晶パネル
２０  バックライト装置
２１  バックライトシャーシ
２１ａ  貫通孔
２２  光学シート
２５（２５−１，２５−２，…，２５−６）  ランプクリップ
２６  連結部
２７  把持部
２８  係止部
５０−１，５０−２，…，５０−８  ＣＣＦＬ
３０，３１  把手部
３０ａ  溝
３１ａ  凹部
【図１】
2007200651.tif 000003
【図２】
2007200651.tif 000004
【図３】
2007200651.tif 000005
【図４】
2007200651.tif 000006
【図５】
2007200651.tif 000007
【図６】
2007200651.tif 000008
【図７】
2007200651.tif 000009
【図８】
2007200651.tif 000010
【図９】
2007200651.tif 000011
【図１０】
2007200651.tif 000012
【図１１】
2007200651.tif 000013